(57)【要約】【課題】胴縁の種々の断面形状に対応した意匠を構成できるフェンスの連結具を提供すること。【解決手段】下連結具２０は、第一連結体２１Ａと第二連結体２１Ｂとを備える。第一連結体２１Ａは、第一回動連結部２２Ａおよび第一胴縁当接部２３Ａを有した第一連結本体部２５Ａと、第一胴縁当接部２３Ａから突出した第一胴縁挿入部２７Ａとを有する。第二連結体２１Ｂは、第二回動連結部２２Ｂおよび第二胴縁当接部２３Ｂを有した第二連結本体部２５Ｂと、第二胴縁当接部２３Ｂから突出した第二胴縁挿入部２７Ｂとを有する。第一胴縁当接部２３Ａおよび第二胴縁当接部２３Ｂの上面２３２Ａ，２３２Ｂには、装着部材５０が装着されるスライド溝部２３４Ａ，２３４Ｂが形成されている。【選択図】図５
2018145596.tif 000002
【特許請求の範囲】
【請求項１】
胴縁を備えたフェンス同士を連結する連結具であって、
前記一方のフェンスの胴縁に取付け可能な第一連結体と、前記他方のフェンスの胴縁に取付け可能な第二連結体とを備え、
前記第一連結体は、第一回動連結部および第一胴縁当接部を有した第一連結本体部と、前記第一胴縁当接部から突出した第一胴縁挿入部とを有し、
前記第二連結体は、前記第一回動連結部に回動自在に連結した第二回動連結部および第二胴縁当接部を有した第二連結本体部と、前記第二胴縁当接部から突出した第二胴縁挿入部とを有し、
前記第一胴縁当接部および前記第二胴縁当接部の上面、または前記第一胴縁当接部および前記第二胴縁当接部の下面には、装着部材が装着される装着凹部が形成されている
ことを特徴とするフェンスの連結具。
【請求項２】
請求項１に記載のフェンスの連結具において、
前記第一胴縁当接部における前記装着凹部は、前記第一胴縁当接部の前記一方のフェンスの胴縁の端面に対する当接面から前記第一回動連結部側に延びたスライド溝部によって構成され、
前記第二胴縁当接部における前記装着凹部は、前記第二胴縁当接部の前記他方のフェンスの胴縁の端面に対する当接面から前記第二回動連結部側に延びたスライド溝部によって構成され、
前記各スライド溝部のスライド方向に直交する方向における開口の幅寸法は、当該スライド溝部の溝内部の幅寸法よりも小さい
ことを特徴とするフェンスの連結具。
【請求項３】
請求項２に記載のフェンスの連結具において、
前記第一連結本体部および前記第二連結本体部には、前記各スライド溝部に装着された前記装着部材との間に前記スライド方向の隙間を隔てて位置する隙間形成面が形成されている
ことを特徴とするフェンスの連結具。
【請求項４】
請求項３に記載のフェンスの連結具において、
前記隙間形成面は、前記スライド方向において前記当接面側に向かって前記各スライド溝部の底面側に傾斜したテーパー面によって構成されている
ことを特徴とするフェンスの連結具。
【請求項５】
請求項２から請求項４のいずれか一項に記載のフェンスの連結具において、
前記装着部材は、前記スライド溝部の溝内部にスライド挿入されるスライド挿入部を有し、
前記スライド挿入部には、前記スライド溝部を形成している底面に当接する当接突部が形成されている
ことを特徴とするフェンスの連結具。
【発明の詳細な説明】
【技術分野】
【０００１】
本発明は、フェンスの端部同士を連結するフェンスの連結具に関する。
【背景技術】
【０００２】
従来、フェンスの端部同士を連結する連結具が知られている（特許文献１参照）。各フェンスの上下縁部には、中空本体部および当該中空本体部から上下方向に突出した突片を有した胴縁（上側胴縁、下側胴縁）が設けられている。
連結具は、互いに回動可能に連結された第１接続具および第２接続具によって構成されている。
第１、第２接続具は、各胴縁の中空本体部に嵌入される係合部と、各胴縁の突片を受ける竪溝が形成された取付片とをそれぞれ有している。
【０００３】
この連結具はフェンスの端部間において上下に二つ配置される。上側の連結具の第１接続具が一方のフェンスの上側胴縁に取り付けられ、かつ上側の連結具の第２接続具が他方のフェンスの上側胴縁に取り付けられることで、フェンスの上側胴縁同士を連結する。また、下側の連結具の第１接続具が一方のフェンスの下側胴縁に取り付けられ、かつ下側の連結具の第２接続具が他方のフェンスの下側胴縁に取り付けられることで、フェンスの下側胴縁同士を連結する。このように連結具によってフェンスの端部同士が連結される。
【先行技術文献】
【特許文献】
【０００４】
【特許文献１】実公平６−２０８４８号公報
【発明の概要】
【発明が解決しようとする課題】
【０００５】
ところで、特許文献１に記載の連結具では、各胴縁の突片を受ける竪溝が形成された取付片を有しているので、連結具によって胴縁同士を連結した状態では、突片と取付片とが連なった意匠を構成できる。
しかし、例えば突片を有していない胴縁に連結具の係合部を嵌入した場合には、この胴縁の断面形状に対応できずに取付片が上下方向に突出した意匠となってしまう。このように、前述した連結具では、胴縁の種々の断面形状に対応した意匠を構成することが困難である。
【０００６】
本発明の目的は、胴縁の種々の断面形状に対応した意匠を構成できるフェンスの連結具を提供することにある。
【課題を解決するための手段】
【０００７】
本発明のフェンスの連結具は、胴縁を備えたフェンス同士を連結する連結具であって、前記一方のフェンスの胴縁に取付け可能な第一連結体と、前記他方のフェンスの胴縁に取付け可能な第二連結体とを備え、前記第一連結体は、第一回動連結部および第一胴縁当接部を有した第一連結本体部と、前記第一胴縁当接部から突出した第一胴縁挿入部とを有し、前記第二連結体は、前記第一回動連結部に回動自在に連結した第二回動連結部および第二胴縁当接部を有した第二連結本体部と、前記第二胴縁当接部から突出した第二胴縁挿入部とを有し、前記第一胴縁当接部および前記第二胴縁当接部の上面、または前記第一胴縁当接部および前記第二胴縁当接部の下面には、装着部材が装着される装着凹部が形成されていることを特徴とする。
【０００８】
本発明のフェンスの連結具によれば、一方のフェンスの胴縁に第一胴縁挿入部を係合して第一胴縁当接部を当接させ、かつ他方のフェンスの胴縁に第二胴縁挿入部を係合して第二胴縁当接部を当接させることで、フェンス同士を連結できる。このとき、第一回動連結部および第二回動連結部を互いに回動してフェンスの連結角度を適宜調整することで、フェンスコーナーなどを構成できる。
さらに、突片部材やキャップ部材などの装着部材を前述した装着凹部に装着することで、上下方向に突出した突片部を有した胴縁や当該突片部を有していない胴縁などの種々の断面形状に対応した意匠を構成できる。また、装着部材としてのアタッチメントを装着凹部に装着することで、フェンス間の目隠し部材を装着可能な構成にできる。
なお、連結具がフェンスの上胴縁同士を連結するものとされる場合には、第一胴縁当接部および第二胴縁当接部の下面に装着凹部が形成される。また、連結具がフェンスの下胴縁同士を連結するものとされる場合には、第一胴縁当接部および第二胴縁当接部の上面に装着凹部が形成される。
【０００９】
本発明のフェンスの連結具では、前記第一胴縁当接部における前記装着凹部は、前記第一胴縁当接部の前記一方のフェンスの胴縁の端面に対する当接面から前記第一回動連結部側に延びたスライド溝部によって構成され、前記第二胴縁当接部における前記装着凹部は、前記第二胴縁当接部の前記他方のフェンスの胴縁の端面に対する当接面から前記第二回動連結部側に延びたスライド溝部によって構成され、前記各スライド溝部のスライド方向に直交する方向における開口の幅寸法は、当該スライド溝部の溝内部の幅寸法よりも小さいことが好ましい。
このような構成によれば、装着部材をスライド溝部にスライド挿入することで、装着部材が抜け落ちない状態にできる。
【００１０】
本発明のフェンスの連結具では、前記第一連結本体部および前記第二連結本体部には、前記各スライド溝部に装着された前記装着部材との間に前記スライド方向の隙間を隔てて位置する隙間形成面が形成されていることが好ましい。
このような構成によれば、スライド溝部にスライド挿入された装着部材と隙間形成面との間の隙間に指や工具等を差し込むことで、装着部材を簡単にスライドさせて取り外すことができる。
【００１１】
本発明のフェンスの連結具では、前記隙間形成面は、前記スライド方向において前記当接面側に向かって前記各スライド溝部の底面側に傾斜したテーパー面によって構成されていることが好ましい。
このような構成によれば、テーパー面に指や工具等を押し当てるだけで装着部材をスライド方向に押し出す力を生じさせることができ、装着部材をスライド溝部から更に簡単に取り外すことができる。
【００１２】
本発明のフェンスの連結具では、前記装着部材は、前記スライド溝部の溝内部にスライド挿入されるスライド挿入部を有し、前記スライド挿入部には、前記スライド溝部を形成している底面に当接する当接突部が形成されていることが好ましい。
このような構成によれば、スライド挿入部をスライド溝部の溝内部よりも小さな厚さ寸法等に形成して、容易にスライド挿入できる構成としても、当接突部がスライド溝部を形成している底面に当接しているので、例えば施工現場への搬送時などに、装着部材がスライド方向へ抜け落ちることを抑制できる。
【発明の効果】
【００１３】
本発明によれば、胴縁の種々の断面形状に対応した意匠を構成できるフェンスの連結具を提供できる。
【図面の簡単な説明】
【００１４】
【図１】本発明の実施形態に係る連結具を備えたフェンスを分解して示す斜視図。
【図２】前記実施形態に係る連結具に取り付けられる胴縁を示す縦断面図。
【図３】前記実施形態に係る連結具を分解して示す斜視図。
【図４】前記実施形態に係る上連結具を示す斜視図。
【図５】前記実施形態に係る下連結具を示す斜視図。
【図６】前記実施形態に係る下連結具を示す側面図。
【図７】本発明の変形例に係る連結具を備えたフェンスを分解して示す斜視図。
【図８】前記変形例に係る下連結具を示す斜視図。
【発明を実施するための形態】
【００１５】
［本実施形態の構成］
以下、本発明の実施形態を図面に基づいて説明する。
図１において、本実施形態に係る連結具（上連結具１０、下連結具２０）は、樹脂製であってフェンス３，４を連結するものである。上連結具１０および下連結具２０間には縦長の中間部材５が配置されている。
【００１６】
［フェンス］
フェンス３は、各種の格子やパネルなどによって構成されたフェンス本体部３１と、フェンス本体部３１の上縁部に取り付けられた上胴縁３２（上枠）と、フェンス本体部３１の下縁部に取り付けられた下胴縁３３（下枠）とを備えている。
フェンス４は、各種の格子やパネルなどによって構成されたフェンス本体部４１と、フェンス本体部４１の上縁部に取り付けられた上胴縁４２（上枠）と、フェンス本体部４１の下縁部に取り付けられた下胴縁４３（下枠）とを備えている。
【００１７】
図２（Ａ）ではフェンス３の上胴縁３２および下胴縁３３を示しており、図２（Ｂ）ではフェンス４の上胴縁４２および下胴縁４３を示している。これらの胴縁３２，３３，４２，４３は、アルミ押出形材によって形成されている。
【００１８】
上胴縁３２は、上片部３２１、一対の側片部３２２，３２３、下片部３２４によって形成された胴縁本体部３２０と、下片部３２４から下方に突出した突片部３２５とによって構成されている。上片部３２１、側片部３２２，３２３および下片部３２４によって中空部３２６（ホロー）が形成されている。
【００１９】
下胴縁３３は、上片部３３１、一対の側片部３３２，３３３および下片部３３４によって形成された胴縁本体部３３０と、上片部３３１から上方に突出した突片部３３５とによって構成されている。下片部３３４には、凹溝形成部３３４Ａが形成されている。上片部３３１、側片部３３２，３３３および下片部３３４によって中空部３３６（ホロー）が形成されている。
【００２０】
上胴縁４２は、上片部４２１、一対の側片部４２２，４２３、下片部４２４および中間片部４２５によって形成された胴縁本体部４２０と、胴縁本体部４２０に係合した係合片部４２６とによって構成されている。
中間片部４２５は、側片部４２３の上下方向における中間部分に連続している。側片部４２２の上端部は、上片部４２１に連続している。中間片部４２５および側片部４２２の下端部の連続部分には、係合部４２０Ａが構成されている。下片部４２４は、側片部４２３の下端部に連続しているとともにその自由端部に係合部４２４Ａが形成されている。係合片部４２６は、係合部４２０Ａ，４２４Ａに係合している。上片部４２１、側片部４２２，４２３および中間片部４２５によって中空部４２７（ホロー）が形成されている。また、側片部４２３、下片部４２４、中間片部４２５および係合片部４２６によって中空部４２８（ホロー）が形成されている。
【００２１】
下胴縁４３は、上片部４３１、一対の側片部４３２，４３３、下片部４３４および中間片部４３５によって形成された胴縁本体部４３０と、胴縁本体部４３０に係合した係合片部４３６とによって構成されている。
中間片部４３５は、側片部４３３の上下方向における中間部分に連続している。側片部４３２の下端部は、下片部４３４に連続している。中間片部４３５および側片部４３２の上端部の連続部分には、係合部４３０Ａが構成されている。上片部４３１は、側片部４３３の上端部に連続しているとともにその自由端部に係合部４３１Ａが形成されている。係合片部４３６は、係合部４３０Ａ，４３１Ａに係合している。下片部４３４には、凹溝形成部４３４Ａが形成されている。側片部４３２，４３３、下片部４３４および中間片部４３５によって中空部４３７（ホロー）が形成されている。また、上片部４３１、側片部４３３、中間片部４３５および係合片部４３６によって中空部４３８（ホロー）が形成されている。
【００２２】
［上連結具］
上連結具１０は、図３，４に示すように、第一連結体１１Ａと、第二連結体１１Ｂとを備えている。
【００２３】
第一連結体１１Ａは、第一回動連結部１２Ａおよび第一胴縁当接部１３Ａを有した第一連結本体部１５Ａと、第一胴縁挿入部１７Ａとを有している。
【００２４】
第一回動連結部１２Ａは、略円柱形状に形成されており、内部が肉抜きされている。第一回動連結部１２Ａの中心部分には、中間部材５の上側の角柱軸５Ａが嵌合する角孔部１２１（図４参照）および第二回動連結部１２Ｂにねじ止めされるねじ孔部１２２（図３参照）が形成されている。
【００２５】
第一胴縁当接部１３Ａは、第一回動連結部１２Ａの図３に示す回動軸心Ｃに直交する第一方向Ａにおいて当該第一回動連結部１２Ａから突出しており、その先端面が上胴縁３２の小口端面に当接する当接面１３１Ａとなっている。この第一胴縁当接部１３Ａの下側部分に第一回動連結部１２Ａが連続している。第一胴縁当接部１３Ａの上面１３２Ａおよび下面１３３Ａは、平面視において略等脚台形状に形成されており、下面１３３Ａには、各種の装着部材５０を装着可能な装着凹部としてのスライド溝部１３４Ａが形成されている。スライド溝部１３４Ａは、第一方向Ａに沿って当接面１３１Ａから第一回動連結部１２Ａ側に延びている。
【００２６】
スライド溝部１３４Ａに装着される装着部材５０としては、例えば図４に示す突片部材５０Ａ、キャップ部材５０Ｂがあり、いずれも装着可能である。本実施形態では、第一連結体１１Ａのスライド溝部１３４Ａには、突片部材５０Ａが装着されている。
【００２７】
突片部材５０Ａは、スライド溝部１３４Ａにスライド挿入されるスライド挿入部５１と、スライド挿入部５１から上下方向に突出した突片部５２とを有している。突片部５２の胴縁側縁部には溝部５２Ａが形成されている。
この突片部材５０Ａが図４に示すように第一連結体１１Ａのスライド溝部１３４Ａに装着された場合には、突片部５２の溝部５２Ａには、当該第一連結体１１Ａに取り付けられる上胴縁３２の突片部３２５が嵌め込まれた状態となり、突片部５２，３２５が連なって第一方向Ａに沿った意匠が構成される。
【００２８】
キャップ部材５０Ｂは、前述したスライド挿入部５１と、スライド挿入部５１に連続したキャップ部５３とを有している。
なお、このキャップ部材５０Ｂが第一連結体１１Ａのスライド溝部１３４Ａに装着された場合には、キャップ部材５０Ｂの外面は、第一胴縁当接部１３Ａの下面１３３Ａと面一に配置される。
【００２９】
第一胴縁挿入部１７Ａは、当接面１３１Ａのうちスライド溝部１３４Ａよりも上側部分から第一方向Ａに突出しており、上胴縁３２の上片部３２１および側片部３２２，３２３の内面に沿った外周形状とされている。
この第一胴縁挿入部１７Ａは、上胴縁３２の中空部３２６に挿入されて上片部３２１および側片部３２２，３２３の内面に当接する。また、第一胴縁挿入部１７Ａには、側片部３２２，３２３がビス止めされる。
【００３０】
また、第一連結体１１Ａは、当接面１３１Ａのうち第一胴縁挿入部１７Ａよりも下側部分から第一方向Ａに突出した挿入片部１３５Ａ，１３６Ａが形成されている。挿入片部１３５Ａは、上胴縁３２の中空部３２６に挿入されて側片部３２２および下片部３２４の内面に当接する。挿入片部１３６Ａは、上胴縁３２の中空部３２６に挿入されて側片部３２３および下片部３２４の内面に当接する。このように挿入片部１３５Ａ，１３６Ａが上胴縁３２に挿入されることで、第一胴縁挿入部１７Ａが存在しない部分から第一連結体１１Ａおよび上胴縁３２間に差し込む光を遮光でき、光漏れを抑制できる。
【００３１】
第二連結体１１Ｂは、第二回動連結部１２Ｂおよび第二胴縁当接部１３Ｂを有した第二連結本体部１５Ｂと、第二胴縁挿入部１７Ｂとを有している。
【００３２】
第二回動連結部１２Ｂは、略円柱形状に形成されており、内部が肉抜きされている。第二回動連結部１２Ｂの中心部分には、第一回動連結部１２Ａがねじ止めされるねじ孔部（図示省略）が形成されている。
【００３３】
第二胴縁当接部１３Ｂは、第二回動連結部１２Ｂの回動軸心Ｃに直交する第二方向Ｂ（図３参照）において当該第二回動連結部１２Ｂから突出しており、その先端面が上胴縁４２の小口端面に当接する当接面１３１Ｂとなっている。この第二胴縁当接部１３Ｂの上側部分に第二回動連結部１２Ｂが連続している。第二胴縁当接部１３Ｂの上面１３２Ｂおよび下面１３３Ｂは、平面視において略等脚台形状に形成されており、下面１３３Ｂには、各種の装着部材５０を装着可能な装着凹部としてのスライド溝部１３４Ｂが形成されている。スライド溝部１３４Ｂは、第二方向Ｂに沿って当接面１３１Ｂから第二回動連結部１２Ｂ側に延びている。
【００３４】
スライド溝部１３４Ｂに装着される装着部材５０としては、前述したように突片部材５０Ａ、キャップ部材５０Ｂがあり、いずれも装着可能である。本実施形態では、第二連結体１１Ｂのスライド溝部１３４Ｂには、キャップ部材５０Ｂが装着されている。
【００３５】
キャップ部材５０Ｂが図４に示すように第二連結体１１Ｂのスライド溝部１３４Ｂに装着された場合には、キャップ部材５０Ｂの外面は、第二胴縁当接部１３Ｂの下面１３３Ｂと面一に配置される。また、第二連結体１１Ｂに取り付けられる上胴縁４２の下片部４２４の外面とも面一に配置される。
【００３６】
ここで、第二連結本体部１５Ｂには、スライド溝部１３４Ｂに装着されたキャップ部材５０Ｂとの間に第二方向Ｂ（スライド方向）の隙間を隔てて位置する隙間形成面としてのテーパー面１６（図４参照）が形成されている。このテーパー面１６は、前記スライド方向において当接面１３１Ｂに向かってスライド溝部１３４Ｂの底面側に傾斜している。
なお、本実施形態では、このテーパー面１６は、前述した第一連結体１１Ａおよび後述する第一連結体２１Ａおよび第二連結体２１Ｂにも形成されている。
【００３７】
第二胴縁挿入部１７Ｂは、当接面１３１Ｂのうちスライド溝部１３４Ｂよりも上側部分から第二方向Ｂに突出しており、上胴縁４２の上片部４２１、側片部４２２，４２３および中間片部４２５の内面に沿った外周形状とされている。
この第二胴縁挿入部１７Ｂは、上胴縁４２の中空部４２７に挿入されて上片部４２１、側片部４２２，４２３および中間片部４２５の内面に当接する。また、第二胴縁挿入部１７Ｂには、側片部４２２，４２３がビス止めされている。
【００３８】
また、第二連結体１１Ｂは、当接面１３１Ｂのうち第二胴縁挿入部１７Ｂよりも下側部分から第二方向Ｂに突出した挿入片部１３５Ｂ，１３６Ｂが形成されている。挿入片部１３５Ｂは、上胴縁４２の中空部４２８に挿入されて係合片部４２６の内面に当接する。挿入片部１３６Ｂは、上胴縁４２の中空部４２８に挿入されて側片部４２３および下片部４２４の内面に当接する。このように挿入片部１３５Ｂ，１３６Ｂが上胴縁４２に挿入されることで、第二胴縁挿入部１７Ｂが存在しない部分から第二連結体１１Ｂおよび上胴縁４２間に差し込む光を遮光でき、光漏れを抑制できる。
【００３９】
［下連結具］
下連結具２０は、図３５，６に示すように、第一連結体２１Ａと、第二連結体２１Ｂとを備えている。
【００４０】
第一連結体２１Ａは、第一回動連結部２２Ａおよび第一胴縁当接部２３Ａを有した第一連結本体部２５Ａと、第一胴縁挿入部２７Ａとを有している。
【００４１】
第一回動連結部２２Ａは、略円柱形状に形成されており、内部が肉抜きされている。第一回動連結部２２Ａの中心部分には、中間部材５の下側の角柱軸５Ａが嵌合する角孔部１２１および第二回動連結部２２Ｂにねじ止めされるねじ孔部（図示省略）が形成されている。
【００４２】
第一胴縁当接部２３Ａは、第一回動連結部２２Ａの図３に示す回動軸心Ｃに直交する第一方向Ａにおいて当該第一回動連結部２２Ａから突出しており、その先端面が下胴縁３３の小口端面に当接する当接面２３１Ａとなっている。この第一胴縁当接部２３Ａの上側部分に第一回動連結部２２Ａが連続している。第一胴縁当接部２３Ａの上面２３２Ａおよび下面２３３Ａ（図６参照）は、平面視において略等脚台形状に形成されており、上面２３２Ａには、各種の装着部材５０を装着可能な装着凹部としてのスライド溝部２３４Ａが形成されている。スライド溝部２３４Ａは、当接面２３１Ａから第一方向Ａに沿って形成されている。
【００４３】
ここで、図６に示すように、スライド溝部２３４Ａのスライド方向（第一方向Ａ）および上下方向に直交する方向における開口２３４Ｃの幅寸法Ｗ１は、スライド溝部２３４Ａの溝内部２３４Ｄの同方向における幅寸法Ｗ２よりも小さくされている。
なお、この寸法関係は、スライド溝部２３４Ａに限らず、前述したスライド溝部１３４Ａ，１３４Ｂおよび後述するスライド溝部２３４Ｂにおいても同様である。
【００４４】
スライド溝部２３４Ａに装着される装着部材５０としては、例えば図５に示す突片部材５０Ａ、キャップ部材５０Ｂがあり、いずれも装着可能である。本実施形態では、第一連結体２１Ａのスライド溝部２３４Ａには、突片部材５０Ａが装着されている。
【００４５】
この突片部材５０Ａが図５，６に示すように、第一連結体２１Ａのスライド溝部２３４Ａに装着された場合には、突片部５２の溝部５２Ａには、当該第一連結体２１Ａに取り付けられる下胴縁３３の突片部３３５が嵌め込まれた状態となり、突片部５２，３３５が連なって第一方向Ａに沿った意匠が構成される。
【００４６】
ここで、図６に示すように、突片部材５０Ａのスライド挿入部５１の厚さ寸法（図６において上下方向の寸法）は、スライド溝部２３４Ａの厚さ寸法よりも小さい。そして、突片部材５０Ａのスライド挿入部５１のうちスライド溝部２３４Ａを形成している底面２３７Ａに対向する対向面５１１には、前記底面２３７Ａに当接する当接突部５４，５５が形成されている。
当接突部５４，５５は、スライド挿入部５１の幅方向（図６において左右方向）における両端側にそれぞれ配置されているとともに、スライド方向に沿って延びて形成されている。
なお、本実施形態では、この構成は、突片部材５０Ａに限らず、キャップ部材５０Ｂなどの各種の装着部材５０のスライド挿入部５１も同様である。
【００４７】
なお、キャップ部材５０Ｂが第一連結体２１Ａのスライド溝部２３４Ａに装着された場合には、キャップ部材５０Ｂの外面は、第一胴縁当接部２３Ａの上面２３２Ａと面一に配置される。
【００４８】
第一胴縁挿入部２７Ａは、当接面２３１Ａのうちスライド溝部２３４Ａよりも下側部分から第一方向Ａに突出しており、下胴縁３３の側片部３３２，３３３および下片部３３４の内面に沿った外周形状とされている。
この第一胴縁挿入部２７Ａは、下胴縁３３の中空部３３６に挿入されて側片部３３２，３３３および下片部３３４の内面に当接する。また、第一胴縁挿入部２７Ａには、側片部３３２，３３３がビス止めされる。
【００４９】
また、第一連結体２１Ａは、当接面２３１Ａのうち第一胴縁挿入部２７Ａよりも上側部分から第一方向Ａに突出した挿入片部２３５Ａ，２３６Ａが形成されている。挿入片部２３５Ａは、下胴縁３３の中空部３３６に挿入されて側片部３３２および上片部３３１の内面に当接する。挿入片部２３６Ａは、下胴縁３３の中空部３３６に挿入されて側片部３３３および上片部３３１の内面に当接する。このように挿入片部２３５Ａ，２３６Ａが下胴縁３３に挿入されることで、第一胴縁挿入部２７Ａが存在しない部分から第一連結体２１Ａおよび下胴縁３３間に差し込む光を遮光でき、光漏れを抑制できる。
【００５０】
第二連結体２１Ｂは、第二回動連結部２２Ｂおよび第二胴縁当接部２３Ｂを有した第二連結本体部２５Ｂと、第二胴縁挿入部２７Ｂとを有している。
【００５１】
第二回動連結部２２Ｂは、略円柱形状に形成されており、内部が肉抜きされている。第二回動連結部２２Ｂの中心部分には、第一回動連結部２２Ａがねじ止めされるねじ孔部（図示省略）が形成されている。
【００５２】
第二胴縁当接部２３Ｂは、第二回動連結部２２Ｂの回動軸心Ｃに直交する第二方向Ｂ（図３参照）において当該第二回動連結部２２Ｂから突出しており、その先端面が下胴縁４３の小口端面に当接する当接面２３１Ｂとなっている。この第二胴縁当接部２３Ｂの上面２３２Ｂおよび下面２３３Ｂは、平面視において略等脚台形状に形成されており、上面２３２Ｂには、各種の装着部材５０を装着可能な装着凹部としてのスライド溝部２３４Ｂが形成されている。スライド溝部２３４Ｂは、当接面２３１Ｂから第二方向Ｂに沿って形成されている。
【００５３】
スライド溝部２３４Ｂに装着される装着部材５０としては、前述したように突片部材５０Ａ、キャップ部材５０Ｂがあり、いずれも装着可能である。本実施形態では、第二連結体２１Ｂのスライド溝部２３４Ｂには、キャップ部材５０Ｂが装着されている。
【００５４】
キャップ部材５０Ｂが図５に示すように第二連結体２１Ｂのスライド溝部２３４Ｂに装着された場合には、キャップ部材５０Ｂの外面は、第二胴縁当接部２３Ｂの上面２３２Ｂと面一に配置される。また、第二連結体２１Ｂに取り付けられる下胴縁４３の上片部４３１の外面とも面一に配置される。
【００５５】
第二胴縁挿入部２７Ｂは、当接面２３１Ｂのうちスライド溝部２３４Ｂよりも下側部分から第二方向Ｂに突出しており、下胴縁４３の側片部４３２，４３３、下片部４３４および中間片部４３５に沿った外周形状とされている。
この第二胴縁挿入部２７Ｂは、下胴縁４３の中空部４３７に挿入されて上片部４３１、側片部４３２，４３３および中間片部４３５の内面に当接する。また、第二胴縁挿入部２７Ｂには、側片部４３２，４３３がビス止めされている。
【００５６】
また、第二連結体２１Ｂは、当接面２３１Ｂのうち第二胴縁挿入部２７Ｂよりも上側部分から第二方向Ｂに突出した挿入片部２３５Ｂ，２３６Ｂが形成されている。挿入片部２３５Ｂは、下胴縁４３の中空部４３８に挿入されて係合片部４３６の内面に当接する。挿入片部２３６Ｂは、下胴縁４３の中空部４３８に挿入されて上片部４３１および側片部４３３の内面に当接する。このように挿入片部２３５Ｂ，２３６Ｂが下胴縁４３に挿入されることで、第二胴縁挿入部２７Ｂが存在しない部分から第二連結体２１Ｂおよび下胴縁４３に差し込む光を遮光でき、光漏れを抑制できる。
【００５７】
［本実施形態の効果］
（１）前記実施形態では、フェンス３，４同士を連結する上連結具１０は、フェンス３の上胴縁３２に取付け可能な第一連結体１１Ａと、フェンス４の上胴縁４２に取付け可能な第二連結体１１Ｂとを備え、第一連結体１１Ａは、第一回動連結部１２Ａおよび第一胴縁当接部１３Ａを有した第一連結本体部１５Ａと、第一胴縁当接部１３Ａから突出した第一胴縁挿入部１７Ａとを有し、第二連結体１１Ｂは、第一回動連結部１２Ａに回動自在に連結した第二回動連結部１２Ｂおよび第二胴縁当接部１３Ｂを有した第二連結本体部１５Ｂと、第二胴縁当接部１３Ｂから突出した第二胴縁挿入部１７Ｂとを有し、第一胴縁当接部１３Ａおよび第二胴縁当接部１３Ｂの下面１３３Ａ，１３３Ｂには、装着部材５０が装着されるスライド溝部１３４Ａ，１３４Ｂが形成されていることを特徴とする。
上記構成を有するため、フェンス３の上胴縁３２に第一胴縁挿入部１７Ａを係合して第一胴縁当接部１３Ａを当接させ、かつフェンス４の上胴縁４２に第二胴縁挿入部１７Ｂを係合して第二胴縁当接部１３Ｂを当接させることで、フェンス３，４同士を連結できる。このとき、第一回動連結部１２Ａおよび第二回動連結部１２Ｂを互いに回動してフェンス３，４の連結角度を適宜調整することで、フェンスコーナーなどを構成できる。
さらに、突片部材５０Ａやキャップ部材５０Ｂなどの装着部材５０をスライド溝部１３４Ａ，１３４Ｂに装着することで、上下方向に突出した突片部３２５を有した上胴縁３２や当該突片部３２５を有していない上胴縁４２などの種々の断面形状に対応した意匠を構成できる。
また、前記実施形態では、フェンス３，４同士を連結する下連結具２０は、フェンス３の下胴縁３３に取付け可能な第一連結体２１Ａと、フェンス４の下胴縁４３に取付け可能な第二連結体２１Ｂとを備え、第一連結体２１Ａは、第一回動連結部２２Ａおよび第一胴縁当接部２３Ａを有した第一連結本体部２５Ａと、第一回動連結部２２Ａの回動軸心Ｃに直交する第一方向Ａにおいて第一胴縁当接部２３Ａから突出した第一胴縁挿入部２７Ａとを有し、第二連結体２１Ｂは、第一回動連結部２２Ａに回動自在に連結した第二回動連結部２２Ｂおよび第二胴縁当接部２３Ｂを有した第二連結本体部２５Ｂと、第二回動連結部２２Ｂの回動軸心Ｃに直交する第二方向Ｂにおいて第二胴縁当接部２３Ｂから突出した第二胴縁挿入部２７Ｂとを有し、第一胴縁当接部２３Ａおよび第二胴縁当接部２３Ｂの上面２３２Ａ，２３２Ｂには、装着部材５０が装着されるスライド溝部２３４Ａ，２３４Ｂが形成されていることを特徴とする。
上記構成を有するため、フェンス３の下胴縁３３に第一胴縁挿入部２７Ａを係合して第一胴縁当接部２３Ａを当接させ、かつフェンス４の下胴縁４３に第二胴縁挿入部２７Ｂを係合して第二胴縁当接部２３Ｂを当接させることで、フェンス３，４同士を連結できる。このとき、第一回動連結部２２Ａおよび第二回動連結部２２Ｂを互いに回動してフェンス３，４の連結角度を適宜調整することで、フェンスコーナーなどを構成できる。
さらに、突片部材５０Ａやキャップ部材５０Ｂなどの装着部材５０をスライド溝部２３４Ａ，２３４Ｂに装着することで、上下方向に突出した突片部３３５を有した下胴縁３３や当該突片部３３５を有していない下胴縁４３などの種々の断面形状に対応した意匠を構成できる。
さらに、本実施形態では、以下の各効果を発揮できる。
（２）第一胴縁当接部１３Ａ（２３Ａ）における装着凹部は、第一胴縁当接部１３Ａ（２３Ａ）のフェンス３の胴縁３２（３３）の端面に対する当接面１３１Ａ（２３１Ａ）から第一回動連結部１２Ａ側に延びたスライド溝部１３４Ａ（２３４Ａ）によって構成され、第二胴縁当接部１３Ｂ（２３Ｂ）における装着凹部は、第二胴縁当接部１３Ｂ（２３Ｂ）のフェンス４の胴縁４２（４３）の端面に対する当接面１３１Ｂ（２３１Ｂ）から第二回動連結部１２Ｂ側に延びたスライド溝部１３４Ｂ（２３４Ｂ）によって構成され、各スライド溝部１３４Ａ（２３４Ａ）、１３４Ｂ（２３４Ｂ）のスライド方向に直交する方向における開口２３４Ｃの幅寸法Ｗ１は、当該スライド溝部１３４Ａ（２３４Ａ）、１３４Ｂ（２３４Ｂ）の溝内部２３４Ｄの幅寸法Ｗ２よりも小さい。
このため、各種の装着部材５０をスライド溝部１３４Ａ（２３４Ａ）、１３４Ｂ（２３４Ｂ）にスライド挿入することで、装着部材５０が抜け落ちない状態にできる。
（３）前記実施形態では、第一連結本体部１５Ａ（２５Ａ）および前記第二連結本体部１５Ｂ（２５Ｂ）には、各スライド溝部１３４Ａ（２３４Ａ）、１３４Ｂ（２３４Ｂ）に装着された装着部材５０との間にスライド方向の隙間を隔てて位置するテーパー面１６が形成されている。
このため、スライド溝部１３４Ａ（２３４Ａ）、１３４Ｂ（２３４Ｂ）にスライド挿入された装着部材５０とテーパー面１６との間の隙間に指や工具等を差し込むことで、装着部材５０を簡単にスライドさせて取り外すことができる。
（４）前述したテーパー面１６は、スライド方向において当接面１３１Ａ（２３１Ａ）、１３１Ｂ（２３１Ｂ）側に向かって各スライド溝部１３４Ａ（２３４Ａ）、１３４Ｂ（２３４Ｂ）の底面２３７Ａ側に傾斜している。
このため、テーパー面１６に指や工具等を押し当てるだけでキャップ部材５０Ｂをスライド方向に押し出す力を生じさせてスライド溝部１３４Ａ（２３４Ａ）、１３４Ｂ（２３４Ｂ）から更に簡単に取り外すことができる。
（５）装着部材５０は、スライド溝部１３４Ａ（２３４Ａ）、１３４Ｂ（２３４Ｂ）の溝内部２３４Ｄにスライド挿入されるスライド挿入部５１を有し、スライド挿入部５１には、スライド溝部１３４Ａ（２３４Ａ）、１３４Ｂ（２３４Ｂ）を形成している底面２３７Ａに当接する当接突部５４，５５が形成されている。
このため、スライド挿入部５１をスライド溝部１３４Ａ（２３４Ａ）、１３４Ｂ（２３４Ｂ）の溝内部２３４Ｄよりも小さな厚さ寸法等に形成して、容易にスライド挿入できる構成としても、当接突部５４，５５がスライド溝部１３４Ａ（２３４Ａ）、１３４Ｂ（２３４Ｂ）を形成している底面２３７Ａに当接しているので、例えば施工現場への搬送時などに、装着部材５０がスライド方向へ抜け落ちることを抑制できる。
【００５８】
［変形例］
本発明は、以上の実施形態で説明した構成のものに限定されず、本発明の目的を達成できる範囲での変形例は、本発明に含まれる。
例えば、前記実施形態では、上連結具１０および下連結具２０に突片部材５０Ａやキャップ部材５０Ｂなどの装着部材５０を各胴縁３２，３３，４２，４３の小口端面の形状に対応して装着したが、これに限られない。例えば図７に示すように、上連結具１０および下連結具２０間に目隠し部材１００を配置する場合には、図８に示すように、この目隠し部材１００を取り付けるためのアタッチメント５０Ｃがスライド溝部２３４Ａ，２３４Ｂに装着され、第一回動連結部２２Ａにもアタッチメント１１０が取り付けられてもよい。図８には下連結具２０を示しているが、上連結具１０にも同様にアタッチメント５０Ｃ，１１０が取り付けられてもよい。なお、アタッチメント５０Ｃは、前述したスライド挿入部５１を有している。
【００５９】
前記実施形態では、装着凹部としてスライド溝部１３４Ａ，１３４Ｂ，２３４Ａ，２３４Ｂを有しているが、これに限られず、例えば、装着孔部が第一胴縁当接部１３Ａ、第二胴縁当接部１３Ｂの下面１３３Ａ，１３３Ｂおよび第一胴縁当接部２３Ａ、第二胴縁当接部２３Ｂの上面２３２Ａ，２３２Ｂに形成されていてもよい。この場合には、各種の装着部材５０には、スライド挿入部５１に代えて圧入軸が形成され、この圧入軸を前記装着孔部に圧入することによって装着部材５０が装着される構成とされてもよい。
【００６０】
前記実施形態では、第一連結本体部１５Ａ（２５Ａ）および第二連結本体部１５Ｂ（２５Ｂ）にテーパー面１６が形成されているが、これに限られず、例えば段部を有した隙間形成面であってもよい。
また、前記実施形態では、テーパー面１６などの隙間形成面が第一連結本体部１５Ａ（２５Ａ）および第二連結本体部１５Ｂ（２５Ｂ）に形成されているが、これに限られず、装着部材５０との間に隙間が形成されない形状の面が形成されていてもよい。
【００６１】
前記実施形態では、各種の装着部材５０のスライド挿入部５１には、スライド方向に沿って延びた当接突部５４，５５が形成されているが、これに限られず、例えば、スライド方向に点在した当接突部が形成されていてもよい。また、前述した当接突部５４，５５の構成を省略してもよい。
【符号の説明】
【００６２】
１０…上連結具（連結具）、１００…目隠し部材、１１０…アタッチメント、１１Ａ，２１Ａ…第一連結体、１１Ｂ，２１Ｂ…第二連結体、１２１…角孔部、１２２…ねじ孔部、１２Ａ，２２Ａ…第一回動連結部、１２Ｂ，２２Ｂ…第二回動連結部、１３１Ａ，１３１Ｂ，２３１Ａ，２３１Ｂ…当接面、１３２Ａ，１３２Ｂ，２３２Ａ，２３２Ｂ…上面、１３３Ａ，１３３Ｂ，２３３Ａ，２３３Ｂ…下面、１３４Ａ，１３４Ｂ，２３４Ａ，２３４Ｂ…スライド溝部、１３５Ａ，１３５Ｂ，１３６Ａ，１３６Ｂ，２３５Ａ，２３５Ｂ，２３６Ａ，２３６Ｂ…挿入片部、１３Ａ，２３Ａ…第一胴縁当接部、１３Ｂ，２３Ｂ…第二胴縁当接部、１５Ａ，２５Ａ…第一連結本体部、１５Ｂ，２５Ｂ…第二連結本体部、１６…テーパー面、１７Ａ，２７Ａ…第一胴縁挿入部、１７Ｂ，２７Ｂ…第二胴縁挿入部、２０…下連結具（連結具）、２３４Ｃ…開口、２３４Ｄ…溝内部、２３７Ａ…底面、３，４…フェンス、３１，４１…フェンス本体部、３２，４２…上胴縁、３２０，４２０…胴縁本体部、３２１，３３１，４２１，４３１…上片部、３２２，３２３，３３２，３３３，４２２，４２３，４３２，４３３…側片部、３２４，３３４，４２４，４３４…下片部、３２５，３３５，５２…突片部、３２６，３３６，４２７，４２８，４３７，４３８…中空部、３３…下胴縁、３３０…胴縁本体部、３３４Ａ，４３４Ａ…凹溝形成部、４２０Ａ，４２４Ａ，４３０Ａ，４３１Ａ…係合部、４２５，４３５…中間片部、４２６，４３６…係合片部、４３…下胴縁、４３０…胴縁本体部、５…中間部材、５０…装着部材、５０Ａ…突片部材、５０Ｂ…キャップ部材、５０Ｃ…アタッチメント、５１…スライド挿入部、５１１…対向面、５２Ａ…溝部、５３…キャップ部、５４，５５…当接突部、５Ａ…角柱軸、Ａ…第一方向、Ｂ…第二方向、Ｃ…回動軸心、Ｗ１，Ｗ２…幅寸法。
【図１】
2018145596.tif 000003
【図２】
2018145596.tif 000004
【図３】
2018145596.tif 000005
【図４】
2018145596.tif 000006
【図５】
2018145596.tif 000007
【図６】
2018145596.tif 000008
【図７】
2018145596.tif 000009
【図８】
2018145596.tif 000010